(57)【要約】  【課題】  雨天などでの使用の際に用紙を屋外でカットするときでも、本体内に雨水などの浸入するおそれのない携帯プリンタを提供する。  【解決手段】  用紙６を収納する給紙部２と、この給紙部２から供給される用紙６に情報を印字する印字部と、この印字部で印字の際に用紙６を保持するプラテン３と、用紙６の印字した部分をプリンタ本体のケーシングの外部へ排出する排出口１０Ａとを備えた携帯プリンタあって、ケーシングは、排出口１０Ａへ雨水が進入するのを阻止する庇４を備えるとともに、庇部４には、排出口１０Ａから排出される印字後の用紙６Ａをカットするカッタ５を設けている。【選択図】  図１
2006168055.tif 000002
【特許請求の範囲】
【請求項１】
用紙を収納する給紙部と、この給紙部から供給される前記用紙に情報を印字する印字部と、この印字部で印字の際に前記用紙を保持するプラテンと、印字後の前記用紙をプリンタ本体のケーシングの外部へ排出する排出口とを備えた携帯プリンタあって、
前記ケーシングは、前記排出口へ雨水が進入するのを阻止する庇を備えるとともに、
前記庇には、前記排出口から排出される印字後の前記用紙をカットするカッタを備える携帯プリンタ。
【請求項２】
前記ケーシングは、前記印字部及び前記給紙部を設ける基体と、この基体に対して開閉可能に設けられ、閉じると前記基体との間が前記排出口になるとともに開くと前記基体との間が前記給紙部に前記用紙を補給する補給口になる蓋体とを備える請求項１に記載の携帯プリンタ。
【請求項３】
前記基体に前記蓋体をロックするロック手段と、このロック手段によるロック状態を解除するロック解除手段とを備える請求項１または２に記載の携帯プリンタ。
【請求項４】
前記ロック手段は、
前記プラテンを支持するプラテン軸と、
前記蓋体を閉じる動作で前記プラテン軸が嵌合する嵌合溝を有するロック部材と、
このロック部材と前記プラテン軸との嵌合状態を弾性力で保持する弾性部材と
を備える請求項３に記載の携帯プリンタ。
【請求項５】
前記ロック解除手段は、
前記ロック部材に係止する押動部材と、
前記弾性部材の弾性力に抗して押圧することにより前記押動部材を回動させて前記嵌合溝から前記プラテン軸を開放する解除レバーと
を備える請求項３又は４に記載の携帯プリンタ。
【請求項６】
前記庇は、
前記ケーシングに対して傾動可能であって、前記蓋体を閉じる動作で前記庇が閉じる庇閉鎖手段を備える請求項１から５のいずれか１項に記載の携帯プリンタ。
【請求項７】
前記庇閉鎖手段は、
前記蓋体の自由端に設けた押動部と、前記蓋体の閉じ動作で前記押動部に押動されて前記庇が閉じる前記庇に設けた受け部とを備える請求項６に記載の携帯プリンタ。
【発明の詳細な説明】
【技術分野】
【０００１】
本発明は、屋外などで使用することができる携帯プリンタに関する。
【背景技術】
【０００２】
電気やガス或いは水道などの使用量の検針業務や、配達中の商品の在庫データの管理などのように、主に屋外で使用するためにハンディターミナルと組み合わせて使用するプリンタなどが開発されている。このハンディターミナル用のプリンタ（以下、これを「携帯プリンタ」とよぶ）は、プリンタ本体のケーシングの一部に用紙排出用の排出口を設けており、データの集計結果などの情報を印刷した用紙を外部へ排出させるようになっている。また、このようなプリンタでは、通常、持ち運んで使用する簡便な構成にするために、印刷後の用紙は排出口近傍に設けたカッタなどに押し当てて手動でカットするものが一般的である。
ところで、このような携帯プリンタでは、例えば屋外において雨天時などの際に、雨水などが前述の排出口などからプリンタ本体のケーシング内部に浸入するのを防止するため、このケーシングに対して防止カバーをスライド可能な状態で設置したものなども知られている（例えば、特許文献１参照）。
【特許文献１】特開平１０−４９４９８号公報
【発明の開示】
【発明が解決しようとする課題】
【０００３】
しかしながら、このような防止カバーを取付けた携帯プリンタにあっては、印刷した用紙をカットするときに防水カバーを開かねばならないので、雨水などがケーシング内部に浸入するおそれがある。
【０００４】
本発明は、上記事情に鑑みてなされたもので、印字後の用紙をカットする際に、雨天時などに屋外で使用するときでも、プリンタ本体のケーシング内部に雨水などの浸入するおそれがない携帯プリンタを提供することを目的とする。
【課題を解決するための手段】
【０００５】
本発明の携帯プリンタは、用紙を収納する給紙部と、この給紙部から供給される前記用紙に情報を印字する印字部と、この印字部で印字の際に前記用紙を保持するプラテンと、印字後の前記用紙をプリンタ本体のケーシングの外部へ排出する排出口とを備えた携帯プリンタあって、前記ケーシングは、前記排出口へ雨水が進入するのを阻止する庇を備えるとともに、前記庇には、前記排出口から排出される印字後の前記用紙をカットするカッタを備える構成となっている。この構成により、雨天などでの使用の際に用紙を屋外でカットするときでも、本体内に雨水などの浸入するおそれがない。
【０００６】
また、本発明の携帯プリンタは、前記ケーシングが、前記印字部及び前記給紙部を設ける基体と、この基体に対して開閉可能に設けられ、閉じると前記基体との間が前記排出口になるとともに開くと前記基体との間が前記給紙部に前記用紙を補給する補給口になる蓋体とを備える構成となっている。この構成により、排出口と補給口とを兼用できるので、ケーシングの小型化に好都合である。
【０００７】
また、本発明の携帯プリンタは、前記基体に前記蓋体をロックするロック手段と、このロック手段によるロック状態を解除するロック解除手段とを備える構成となっている。この構成により、プリンタの使用中に基体に対して蓋体を確実に閉鎖した状態に保持できる。
【０００８】
また、本発明の携帯プリンタは、前記ロック手段が、前記プラテンを支持するプラテン軸と、前記蓋体を閉じる動作で前記プラテン軸が嵌合する嵌合溝を有するロック部材と、このロック部材と前記プラテン軸との嵌合状態を弾性力で保持する弾性部材とを備える構成となっている。この構成により、簡単な構成でロック手段を実現できる。
【０００９】
また、本発明の携帯プリンタは、前記ロック解除手段が、前記ロック部材に係止する押動部材と、前記弾性部材の弾性力に抗して押圧することにより前記押動部材を回動させて前記嵌合溝から前記プラテン軸を開放する解除レバーとを備える構成となっている。この構成により、簡単な構成でロック解除手段を実現できる。
【００１０】
また、本発明の携帯プリンタは、前記庇が、前記ケーシングに対して傾動可能であって、前記蓋体を閉じる動作で前記庇が閉じる庇閉鎖手段を備える構成となっている。この構成により、蓋体の閉じ動作に連動して庇を自動的に閉じることができ、屋外などでの使用の際に庇が外部へ大きく突出するのを回避でき、庇と一体に備えるカッタも内部に納めることができるので、安全である。
【００１１】
また、本発明の携帯プリンタは、前記庇閉鎖手段が、前記蓋体の自由端に設けた押動部と、前記蓋体の閉じ動作で前記押動部に押動されて前記庇が閉じる前記庇に設けた受け部とを備える構成となっている。この構成により、簡単な構成で庇閉鎖手段を実現できる。
【発明の効果】
【００１２】
本発明によれば、プリンタ本体のケーシングには、プリンタ使用の際に上方から排出口へ雨水などが進入するのを阻止する庇を備えるとともに、その庇には、排出口から排出される印字後の用紙をカットするカッタを設けており、雨天時に屋外などでの使用の際に用紙を屋外でカットするときでも、ケーシング内部に雨水などの浸入するおそれのない携帯プリンタを提供できる。
【発明を実施するための最良の形態】
【００１３】
以下、本発明の実施形態について、添付図面を参照しながら詳細に説明する。
図１は、本発明の実施形態に係る携帯プリンタ１を示すものであり、この携帯プリンタ１は、ロール状の用紙６を収納する給紙部２と、この給紙部２から供給される用紙６に各種の情報を印字する図示外の印字部と、印字の際に用紙６を保持するプラテン３とを備えるとともに、印字後の用紙６Ａをケーシング１０の外部へ排出する排出口１０Ａなどを備えている。さらに、この携帯プリンタ１には、ケーシング１０の排出口１０Ａを臨む部分に、上方から排出口１０Ａへ雨水などが進入するのを阻止する庇４と、排出口１０Ａから排出される印字後の用紙６Ａをカットするカッタ５とを設けている。
【００１４】
ケーシング１０は、図２に示すように、下部ケーシング１１と、この下部ケーシング１１と一体に組み付けた上部ケーシング１２と、回動軸１３１（図２、図３参照）を中心として下部ケーシング１１に回動可能な回動蓋１３とを備えている。下部ケーシング１１には、図１に示すように、図示外の印字部などを備えているとともに、上部ケーシング１２には、給紙部２を設けている。また、上部ケーシング１２と回動蓋１３との間には、図４に示すように、上部ケーシング１２に対して回動蓋１３を閉じてロックするロック手段７及びそのロック状態を解除するロック解除手段８を備えている。なお、回動蓋１３は、上部ケーシング１２との間で、排出口１０Ａを形成している。また、このケーシング１０は、回動蓋１３を開くことにより、図８に示すように、この回動蓋１３と上部ケーシング１２との間の排出口１０Ａが大きく開口してロール状の用紙６を補充できる補給口１０Ｂが形成される。
【００１５】
ロック手段７は、回動蓋１３を閉じることによりその回動蓋１３を上部ケーシング１２に固定させてロックするものであり、図５に示すように、断面略半円形の嵌合溝７１Ａを有するロック部材７１と、プラテン３を回転自在に支持するとともに回動蓋１３を閉じる動作で嵌合溝７１Ａに嵌合する、回動蓋１３に設けたプラテン軸３１と、ロック部材７１とプラテン軸３１との嵌合ロック状態を弾性力で保持するコイルばね７２及びトーションばね７３（図６、８参照）とを備えている。ロック部材７１は、下部ケーシング１１に固設した取付軸７１Ｃを中心に回動可能に軸支されており、上部ケーシング１２に形成してある取付部１２１の一面（下面）に設置した前述のコイルばね７２によって時計回りの回転力が付勢されている。また、このロック部材７１には、嵌合溝７１Ａよりも先端部寄りに受け面７１Ｂを設けており、回動蓋１３を閉じることによりプラテン軸３１がこの受け面７１Ｂに係止しながら転動して嵌合溝７１Ａに落ち込みロックさせる。
【００１６】
ロック解除手段８は、ロック手段７による回動蓋１３の上部ケーシング１２に対するロック状態を解除するためのものであり、図５に示すように、上部ケーシング１２に設けた解除レバー８１と、コイルばね７２の弾性力に抗して解除レバー８１を押圧することにより回動させて、嵌合溝７１Ａからプラテン軸３１を開放する押出部材８２とを備える。押出部材８２は、上部ケーシング１２に設けた支軸１２２に固設した略Ｍ字型の板金で構成しており、ロック部材７１と一体に設けた薄板状の押動部材７４に押圧されて反時計方向に回転力が付勢されている。このため、解除レバー８１は、普段、上部ケーシング１２の表面から外部へ押し上げられている。従って、コイルばね７２の弾性力に抗して解除レバー８１を押圧すれば、押出部材８２が時計方向に回動して押動部材７４を押出し、これと一体のロック部材７１が反時計方向に回動するので、嵌合溝７１Ａが上向き傾斜から下向き傾斜に姿勢が変化するので、この嵌合溝７１Ａからプラテン軸３１を放出させることができる。
【００１７】
さらに、この携帯プリンタ１には、普段使用するときには、排出口１０Ａを最小限の開口状態まで狭めて雨水などの浸入を防止するため、前述の庇４を上部ケーシング１２に対して傾動可能な状態で設置している。即ち、この庇４には、回動蓋１３を閉じる動作に連動してこの庇４も閉じ方向に回動する庇閉鎖手段９を備えている。この庇閉鎖手段９には、図５に示すように、回動蓋１３の先端部に設けた押動部１３Ａと、回動蓋１３の閉じ動作によりこの回動蓋１３と一体の押動部１３Ａに押動されて庇４が閉じる（図９、１０参照）庇４に設けた受け部材４１の受け部４１Ａとを設けている。なお、庇４は、図７に示すように、取付軸４２及びトーションスプリング４３を介して上部ケーシング１２（図４参照）に回動可能に取付けてあり、トーションスプリング４３の弾性力が常時外側方向（図７では、反時計方向）に付勢されている。
【００１８】
次に、本発明の作用について説明する。
図８のように回動蓋１３を大きく開いた状態で、例えば用紙６を補給口１０Ｂから補給するとともに、図９に示すように、回動蓋１３を閉じていく。すると、図９に示すように、プラテン軸３１がロック部材７１の受け面７１Ｂに当接したのち、この受け面７１Ｂに沿って斜め上方への嵌合溝７１Ａに向けて転動しながら移動していく。そして、図１０に示すように、このプラテン軸３１が受け面７１Ｂの先にあるロック部材７１の嵌合溝７１Ａに落ち込むと、図１に示すように、プラテン軸３１を取付けている回動蓋１３が下部及び上部のケーシング１１、１２に対してロック状態に固定・保持される。
【００１９】
また、この時、回動蓋１３の閉じ動作に連動して、庇閉鎖手段９も閉じる方向に回動する。即ち、図１０に示すように、回動蓋１３の閉じ動作により、回動蓋１３に設けた押動部１３Ａは、庇４に設けた受け部材４１の受け部４１Ａに当接したのち、ケーシング１０の内部に押し込まれていく。これにより、受け部材４１を取付けている庇４およびカッタ５が、トーションスプリング４３の弾性力に抗し取付軸４２を中心にして（図１０において反時計方向に）回動し、上部ケーシング１２から飛び出していた庇４およびカッタ５が上部ケーシング１２とほぼ面一状態まで閉じる。換言すれば、排出口１０Ａを最小限の幅となるまで狭めていく。これにより、ケーシング１０の表面の排出口１０Ａは上部を庇４で保護され、下方のみ最小限の大きさで開放されているので、図１のような上下の向きの姿勢で使用する限り、雨水などの浸入を阻止できる。
【００２０】
一方、閉じていた回動蓋１３を開放させるには、図１１に示すように、解除レバー８１を押下すればよい。すると、この解除レバー８１の押下動作によって押出部材８２が支軸１２２を中心に時計方向に回動する。そして、図１２に示すように、ロック部材７１と一体の押動部材７４が、コイルばね７２及びトーションばね７３の弾性力に抗して、取付軸７１Ｃを回転中心とした反時計方向に押動する。その結果、この押動部材７４を一体に取り付けてあるロック部材７１も取付軸７１Ｃを回転中心として同方向に回動する。その結果、ロック部材７１の嵌合溝７１Ａの姿勢が斜め下方に傾斜し、この嵌合溝７１Ａに嵌入していたプラテン軸３１が自重で抜出すので、ロック状態が解除される。
【００２１】
なお、本発明は、上述した実施形態に何ら限定されるものではなく、その要旨を逸脱しない範囲において種々の形態で実施し得るものである。
【産業上の利用可能性】
【００２２】
本発明は、プリンタ使用の際に上方から排出口へ雨水が進入するのを阻止する庇をケーシングに備えるとともに、庇部には排出口から排出される印字後の用紙をカットするカッタを設けており、雨天時に屋外で用紙を屋外でカットするときでも、庇に保護されて本体内に雨水などの浸入するおそれがなく、電気やガス或いは水道などの使用料金の検針業務や在庫管理のデータの収集などのように主に屋外で使用するハンディターミナルと組み合わせて使用するプリンタなどに好適である。
【図面の簡単な説明】
【００２３】
【図１】本発明の携帯プリンタを示す縦断面図
【図２】（Ａ）は同プリンタの外観を示す斜視図、（Ｂ）は蓋体を開き始めた直後の状態を示す斜視図
【図３】（Ａ）は同プリンタの蓋体の内側を示す斜視図、（Ｂ）はその分解斜視図
【図４】同プリンタ全体の分解斜視図
【図５】（Ａ）は同プリンタを閉じる直前の状態を示す縦断面図、（Ｂ）は（Ａ）のＢ部拡大断面図
【図６】（Ａ）は同プリンタのロック手段の要部を示す拡大斜視図、（Ｂ）はその分解斜視図
【図７】（Ａ）は同プリンタのカッタ部分を示す拡大斜視図、（Ｂ）はその分解斜視図
【図８】本発明の携帯プリンタを完全に開いた状態を示す縦断面図
【図９】同プリンタの蓋体を閉じるときの状態を示す縦断面図
【図１０】同プリンタの蓋体を完全に閉じる直前の状態を示す縦断面図
【図１１】同プリンタの蓋体を開き始めるときの操作を示す縦断面図
【図１２】同プリンタの蓋体を開き始めるときの状態を示す縦断面図
【符号の説明】
【００２４】
１  携帯プリンタ
１０  （電子機器本体の）ケーシング
１０Ａ  排出口
１０Ｂ  補給口
１１  下部ケーシング（基体）
１２  上部ケーシング（基体）
１２１  取付部
１２２  支軸
１３  回動蓋
１３Ａ  押動部（庇閉鎖手段）
１３１  回動軸
２  給紙部
３  プラテン
３１  （回動部材）プラテン軸（ロック手段）
４  庇
４１  受け部材
４１Ａ  受け部（庇閉鎖手段）
４２  取付軸
４３  トーションスプリング
５  カッタ
６  用紙
７  ロック手段
７１  ロック部材
７１Ａ  嵌合溝（ロック手段）
７１Ｂ  受け面（ロック手段）
７１Ｃ  取付軸
７２  コイルばね
７３  トーションばね
７４  押動部材
８  ロック解除手段
８１  解除レバー
８２  押出部材
９  庇閉鎖手段
【図１】
2006168055.tif 000003
【図２】
2006168055.tif 000004
【図３】
2006168055.tif 000005
【図４】
2006168055.tif 000006
【図５】
2006168055.tif 000007
【図６】
2006168055.tif 000008
【図７】
2006168055.tif 000009
【図８】
2006168055.tif 000010
【図９】
2006168055.tif 000011
【図１０】
2006168055.tif 000012
【図１１】
2006168055.tif 000013
【図１２】
2006168055.tif 000014